Podtech/llm-jp-corpus-v4-ja_patent huggingface dataset:
(57)【要約】【課題】市民農園や体験農園など非農家用のレンタル農園の敷地を有効に利用するため、つる系作物やつる系果樹を頭上で栽培できる棚を設置したレンタル農園を提供する。【解決手段】市民農園や体験農園の利用者が占用する敷地に、高さ1.8メートル程度のつる系作物栽培棚を常設設置することを特徴とするレンタル農園。【選択図】図４
2014007967.tif 000002
【特許請求の範囲】
【請求項１】
頭上を覆う作物栽培用の棚を設置した市民農園や体験農園のような非農家用レンタル農園。
【発明の詳細な説明】
【技術分野】
【０００１】
本発明は、市民農園や体験農園のような非農家が使用する農作物栽培用の借用農地に、つる系の農作物や果樹を頭上で栽培するための棚を設置することを特徴とする非農家向けレンタル農園に関する。
【背景技術】
【０００２】
従来、市民農園や体験農園は、露地野菜の栽培が中心で、平面的な農地利用が中心であった。ナス、トマト、キュウリやゴーヤなどを栽培するための支柱や栽培用ネットは活用されていたが、農園利用者の各々が作物栽培に使用する敷地の頭上を大きく覆う常設の棚を設置し、頭上及び地表面と立体的に敷地が活用されることはなかった。
【発明の概要】
【発明が解決しようとする課題】
【０００３】
レンタル農園では、各利用者が占用する敷地は、面積の狭いところが多く、スイカ、カボチャ、メロン等のつる系作物を栽培するとスペースを大きく取ってしまうため、他の作物を栽培スペースが制限されてしまう問題があった。対策としては、つる系作物の栽培を少なくするか、つるを短く管理し、収穫量を犠牲としていた。
【０００４】
レンタルして占用使用する敷地面積には限りがあったため、原則全ての占用面積が農作物栽培に使用されることとなり、占用敷地内で、休憩や、滞在を楽しむスペースはなかった。
【０００５】
市民農園では、各利用者が使用する資材や作業用の私物は、各占用の敷地に置く場合が多いが、占用する面積は作物栽培に最大限活用されているため、資材や私物の保管スペースに苦慮していた。
【０００６】
レンタル農園の共有のスペースには、日差しを避ける棚や東屋などが休憩所として設置されていることもあるが、利用者が占用する各敷地では、炎天下であっても日差しを遮るものがなかった。
【０００７】
レンタル農園では、他の利用者の占用する敷地との日照問題があり、利用者が独自の判断で、各占用の敷地に頭上を覆うような棚を設置することはできなかった。
【課題を解決するための手段】
【０００８】
農園利用者が占用する各敷地に、図4に示すように、高さ1.8メートル程度で、横４メートル奥行３メートル程度の棚を設置する。材質は、木、鉄パイプないしはアルミ角柱。頭上部分は、50センチ四方程度のマス目に針金等のワイヤーを張る。前述の棚のサイズは、目安であり、実際の棚の大きさは、各占用敷地の半分程度までとし、敷地の北側に設置することが望ましい。
実際につる系作物を栽培する際には、作物の成長に合わせ、必要に応じて特に網などの落下防止策を講じる。
当該の棚は、つる系の果樹にも用いることができる。
以上のようなつる系作物栽培用の棚を設置した市民農園、体験農園などの非農家向けレンタル農園である。
【発明の効果】
【０００９】
メロン、スイカ、カボチャ等つる系作物のつる部分を長くし、棚の上部まで伸ばす頭上栽培となるため、つる部分の主葉が多くなり、作物へ供給される養分が多くなる。
【００１０】
棚の下の空間は、利用者が活用できるスペースとなり、農作物栽培用資材や私物置き場、利用者が休憩や食事などを楽しむ付加価値空間として利用することが可能となる。
【００１１】
つる系の作物やつる系の果樹が上部を覆う状態となれば、直射日光を避ける場所となり、また後に栽培する作物の育苗や日蔭を好む作物の栽培スペースとして、立体的に敷地を活用することができる。
【００１２】
以上のように時期を重複して作物を栽培することが可能となるため、栽培する作物も育苗を前倒しで行うことにより、収穫物を増やすことも可能となり、敷地の有効利用を図ることができる。
【００１３】
レンタル農園運営者は、当該の棚の設置により、他のこれまでのレンタル農園と明快な差別化ができる。
【図面の簡単な説明】
【００１４】
【図１】レンタル農園６区画を上部から見た図である。
【図２】レンタル農園６区画を正面から見た図である。
【図３】設置する棚を上部から見た図である。
【図４】設置する棚の斜図である。
【符号の説明】
【００１５】
１は設置する棚上部、２はレンタル農園の敷地、３は棚上部に設置するワイヤー
【図１】
2014007967.tif 000003
【図２】
2014007967.tif 000004
【図３】
2014007967.tif 000005
【図４】
2014007967.tif 000006
(57)【要約】      （修正有）【課題】オレフィン重合触媒や化学蒸着用化合物として用いることができる、新規なプラセオジム化合物および新規なプラセオジム化合物の製造方法を提供するものである。【解決手段】トリス（２，６−ジメチルヘプタン−３，５−ジオナト）プラセオジム化合物および、トリイソプロポキシプラセオジムを２，６−ジメチルヘプタンジオンとを反応させるトリス（２，６−ジメチルヘプタンジオナト）プラセオジムの製造方法。【選択図】なし【特許請求の範囲】
【請求項１】
トリス（２，６−ジメチルヘプタン−３，５−ジオナト）プラセオジム。
【請求項２】
請求項１記載の化合物の製造方法。
【発明の詳細な説明】
【技術分野】
【０００１】
本発明は、新規なプラセオジム化合物およびその製造方法に関するものである。
【背景技術】
【０００２】
特許文献１には、プラセオジムトリイソプロポキシドを用いて、２，６−ジメチルヘプタンジオン（ｄｉｂｍ）と配位子交換することで、Ｐｒ(ＯｉＰｒ)n (ｄｉｂｍ)3 - nを合成している。しかし、報告されている化合物は、ｎが１又は２の化合物のみである。
【０００３】
特許文献２にはトリス（２，２，６，６−テトラメチル−３，５−ヘプタンジオナト）プラセオジムを重合触媒として用い、エチルアルミニウムセスキクロライド及びジブチルマグネシウムを助触媒とするブタジエンの重合例が開示されているが、触媒を多量に使用する必要がある。
【０００４】
非特許文献１にはトリス（２，４−ヘキサンジオナト）プラセオジムの合成法が開示されているが、トリス（２，６−ジメチルヘプタン−３，５−ジオナト）プラセオジムについては記載されていない。
【先行技術文献】
【特許文献】
【０００５】
【特許文献１】特開２００５−１２６３３３号公報
【特許文献２】特開昭５９−１５０８号公報
【非特許文献】
【０００６】
【非特許文献１】Journal of Inorganic and Nuclear Chemistry (1966), 28(11), 2719.
【発明の概要】
【発明が解決しようとする課題】
【０００７】
本発明は、新規なプラセオジム化合物およびその製造方法を提供することを目的とする。
【課題を解決するための手段】
【０００８】
本発明は、新規なプラセオジム化合物およびその製造方法を提供することを目的とする。
【発明の効果】
【０００９】
本発明は、新規なプラセオジム化合物およびその製造方法を提供する。なお、上記プラセオジム化合物は、オレフィン重合触媒や化学蒸着用化合物として用いることができる。
【発明を実施するための形態】
【００１０】
本発明のガドリニウム化合物は、トリス（２，６−ジメチルヘプタン−３，５−ジオナト）プラセオジムである。
【００１１】
上記のトリス（２，６−ジメチルヘプタン−３，５−ジオナト）プラセオジムは、プラセオジム化合物と２，６−ジメチルヘプタン−３，５−ジオンとを溶媒中で反応させることで得られる。
【００１２】
上記のプラセオジム化合物としては、プラセオジムアルコキシドおよびハロゲン化プラセオジムなどが挙げられる。
【００１３】
上記のプラセオジムアルコキシドとしては、例えば、プラセオジムエトキシド、プラセオジムｎ−プロポキシド、プラセオジムイソプロポキシド、プラセオジムブトキシドなどが挙げられる。
【００１４】
上記のハロゲン化プラセオジムとしては、例えば、三フッ化プラセオジム、三塩化プラセオジム、三臭化プラセオジム、三ヨウ化プラセオジムなどが挙げられる。
【００１５】
上記の溶媒としては、例えば、水、メタノール、エタノール、ｎ−プロパノール、イソプロピルアルコール、ｎ−ブタノール、イソブチルアルコール、ｔ−ブチルアルコール、アセトン、メチルエチルケトン、ジエチルケトン、メチルイソブチルケトン、酢酸メチル、酢酸エチル、酢酸プロピル、酢酸ブチル、ジメチルエーテル、ジエチルエーテル、ジイソプロピルエーテル、テトラヒドロフラン、テトラヒドロピラン、ジオキサン、ペンタン、ヘキサン、ヘプタン、オクタン、ノナン、デカン、ウンデカン、ドデカン、シクロペンタン、シクロヘキサン、ベンゼン、トルエン、キシレン、クメン、シメンなどが挙げられる。
【００１６】
これらの溶媒は、一種用いてもよく、二種以上を組み合わせて用いてもよい。
【００１７】
反応温度は−３０〜１５０℃の範囲が好ましく、０〜１００℃の範囲が特に好ましい。
【００１８】
反応時間は１分〜１２時間の範囲が好ましく、５分〜５時間が特に好ましい。
【００１９】
（合成例）
以下に本発明に基づく合成例について具体的に記載する。
プラセオジム含量の測定は、ＩＣＰ発光分析法にて行った。測定には、バリアンジャパン社製ＩＣＰ発光分光分析装置  Ｖｉｓｔａ  ＭＰＸ型を用いた。
【００２０】
（合成例１）
３００ｍｌのナシ形二つ口フラスコに高純度化学研究所製トリイソプロポキシプラセオジムを０．６４ｇ（２．０１ｍｍｏｌ）、２，６−ジメチルヘプタンジオンを０．９５ｇ（６．０５ｍｍｏｌ）および脱水トルエン１０ｍｌを加え、マグネティックスターラーにて攪拌した。トルエン還流下で２０時間反応を行い、トルエンを留去し、減圧乾固した。得られた固体を１１０℃にて２時間減圧乾固し、トリス（２，６−ジメチルヘプタンジオナト）プラセオジムを得た。収量０．３８ｇ（０．６３ｍｍｏｌ）、収率３１％。
生成物の核磁気共鳴スペクトル（ＮＭＲ）の結果、１Ｈ−ＮＭＲ  δ（ｐｐｍ）：−０．８（３６Ｈ）、０．３、０．７（計６Ｈ）、１３．７（３Ｈ）  ただし、測定溶媒はＣ６Ｄ６を用いた。
【００２１】
（ＩＣＰ発光分析)
合成例１において合成されたトリス（２，６−ジメチルヘプタン−３，５−ジオナト）プラセオジムについて、ＩＣＰ発光分析法にてプラセオジムの含量を算出した。分析測定を２回行い、測定値が理論値とほぼ同等の数値を示したことから、一個のプラセオジム原子あたり、三個の２，６−ジメチルヘプタン−３，５−ジオン配位子が結合していることが示唆された。その分析結果を表１に示した。
【００２２】
【表１】
2014240358.tif 000002
【００２３】
（重合触媒用途)
合成例１において合成されたトリス（２，６−ジメチルヘプタン−３，５−ジオナト）プラセオジムは、例えば共役ジエン重合用触媒として用いることができる。
【００２４】
（共役ジエン重合例)
内容量１．５Ｌのオートクレーブの内部を窒素置換し、トルエン３１５ｍｌ及びブタジエン１８０ｍｌからなる溶液を仕込んだ。次いで、トリエチルアルミニウム（ＴＥＡ）のトルエン溶液（２ｍｏｌ／Ｌ）１．２５ｍｌを添加した。次に、トリス（２，６−ジメチル−３，５−ヘプタンジオナト）プラセオジムのトルエン溶液（０．０２ｍｏｌ／Ｌ）１．５ｍｌを添加した後、トリフェニルカルベニウムテトラキス（ペンタフルオロフェニル）ボレートのトルエン溶液（０．４３ｍｏｌ／Ｌ）０．１４ｍｌを添加した。４０℃で２５分間重合した後、老化防止剤を含むエタノール溶液３ｍｌを添加し、重合を停止した。オートクレーブの内部を放圧した後、重合液にエタノールを投入し、ポリブタジエンを回収後、８０℃で３時間真空乾燥した。得られたポリブタジエンは、収量９．５０ｇ、シス体比率９８．２％であった。
(57)【要約】【課題】  柿果肉、柿皮を使った菓子、冷菓を通年製造する為には冷凍保存する。冷凍した部位を加工するために解凍すると時間を要して作業効率が悪い。冷凍保存の状態で軟性にして製造が安易に出来る手法を見つけて柿加工品を製造する手段を見つける事が課題で有る。【解決手段】  洗浄と殺菌工程を経過した柿果実の果肉部分と皮の部分を用いる。これを破砕、擂り潰し等でピューレ状にする。これを冷凍保存をすると、硬く凍結して冷凍の状態では加工は困難である。冷凍前に砂糖、ブドウ糖、飴等の糖質を柿果肉、柿皮の重量に対して２０％重量以上を添加することで、任意の堅さで凍結する事が可能に成る。これに因って解凍しなくても加工の際、適正分量を冷凍保存の状態で秤出し分割する作業が可能に成る。他の添加物との混合作業が容易に成り能率が飛躍的に良く成る。且つ、甘さが増し旨みの幅が増してクリーム状の柿冷菓の原料と成す事を容易にする。これを解凍した状態に成して、柿ジャム、柿菓子の原料と成す加工方法。【特許請求の範囲】
【請求項１】
柿果肉部及び柿皮で作ったピューレの重量に対して２０％以上の重量の糖質を加糖する。これに因って冷凍しても任意の軟らかな冷凍柿ピューレの状態を保持する。この事で冷凍状態での加工を容易、簡単にする。適量の糖質を柿ピューレに添加する事で糖に因る旨みと柔らかな食感の柿冷菓と成す。解凍して常温での柿の加工食品の原料に成す。
【発明の詳細な説明】
【発明の詳細な説明】
【産業上の利用分野】
【０００１】  本発明は、現状では生食、干し柿としては商品価値の無い柿の部分を加糖してから冷凍して商品化することを目的とする。このことで柿の新商品製造に当たり製造工程の簡素化、作業性の向上、加工時の製品の品質劣化防止、を成す加工方法に関する。
【背景技術】
【０００２】  渋柿の干し柿加工する技術。この干し柿製造の際に柿皮剥きの行程が有る。この行程で出来た柿皮の少量は乾燥して漬け物の甘味料として用いられている。本発明人が発明した、特願２０１１−５８５２７柿皮から酸味を呈する食材の加工方法が存在する。
【発明が解決しようとする課題】
【０００３】  柿を使った菓子、冷菓を通年製造する為には冷凍保存する。冷凍した柿を加工するために解凍していた。この工程を自然解凍すると余分な時間を要して作業効率が悪い。凍結状態で細分化するには鋸、鉋、ドリルなどの形体の道具を使い余分な作業である。空気との接触時間が多くなり、果肉に存在する柿タンニンの酸化で暗褐色化が進み、製品の色合いを悪くする。冷凍保存の状態で軟性にして製造が安易に出来る手法を見つけて柿加工品を製造する手段を見つける事が課題で有る。
【課題を解決するための手段】
【０００４】  本発明は洗浄、柿果実の蔕、種を除き殺菌工程を経過した果肉部分と皮の部分を用いる。干し柿製造工程に於いて柿の皮を剥く行程で発生する柿皮を素材として用いる。これを破砕、擂り潰し等の工程によってピューレ状にする。これを冷凍保存をすると、柿の生育環境によって果肉の糖度は１２度から１７度位の範囲で一定した糖度では無いがこれ位の糖度では硬く凍結する。これを柿加工品製造目的で分割作業、その後、他の添加物との混合作業等の作業までに至る過程で時間と労力と設備経費がかかり効率が悪い。これを解決する手段として、砂糖、ブドウ糖、飴等の糖質を柿果肉、柿皮の重量に対して２０％重量以上を添加する事で任意の堅さで凍結する事が可能に成る。これに因って解凍しなくても加工の際、適正分量を冷凍保存の状態で秤出し分割する作業が可能に成る。他の添加物との混合作業が容易に成り能率が飛躍的に良く成る。且つ、甘さが増し旨みの幅が増してクリーム状の柔らかな柿冷菓の原料と成し加工を容易にする。これを解凍した状態に成して、柿ジャム、柿菓子の原料と成す。加工方法を手段とする。
【発明を実施するための形態】
【０００５】  本発明の好適な実施形態について長野県南部を産地とする市田柿を使って説明する。通常の収穫時期は１０月中旬〜１１月下旬であり堅い柿を収穫する。この柿の皮を剥いて干して市田柿の商品名の干し柿として出荷して有名である。本発明の実施の為の前提手段として洗浄して、弱酸性次亜塩素酸又はアルコール等を用いた殺菌工程を経る。柿果実の蔕、種を除いた果肉部分と皮の部分を用いる。特に有効な手段として干し柿製造の際の皮剥き作業で出来る柿皮は収穫した生柿の重量で１５％位が廃棄され産地全域では多量の廃棄物と成る。柿剥きの際、柿剥きの機械の改良で蔕の部位が柿皮と完全に分離して柿皮として廃棄する部位の品質が向上した。この柿皮を以前本発明者が製造したピューレの成分を日本食品分析センターで調べた分析試験成績書の内容を記す。２０１２年１月１３日、第１１１２４４２４００１−０１号の分析試験結果によれば。カリウム３６４ｍｇ／１００ｇ、ビタミンＡ（レチノール当量）３７５μｇ／１００ｇ、α−カロテン１２０μｇ／１００ｇ、βカロテン９２０μｇ／１００ｇ、クリプトキサンチン７０４μｇ／１００ｇ、総アスコルビン酸（総ビタミンＣ）１６ｍｇ／１００ｇ、タンニン（タンニン酸として）０．４４ｇ／１００ｇ、ポリフェノール０．１１ｇ／１００ｇ、と高濃度の成分が証明されている。本発明品の実施にも、これと同等の柿皮を使った。これを破砕、擂り潰し等の工程によってピューレ状にする。これをそのまま通常の冷凍庫の保存温度−２０℃位で保存をすると硬く凍結する。これを使う為に破砕分割する作業が硬く困難な作業に成り長時間を要する。その後の他の添加物との混合作業等の作業が出来る柔らかさに至るまでの時間と労力と設備経費がかかり効率が悪い。これを解決するための手段として、砂糖、ブドウ糖、飴等の糖質を果実の重量に対して２０％添加するとスプーンに力を入れると掬える程度の柔らかさに成る。３０％添加すると柔らかな感じで掬える。５０％添加すると、ドロドロとした感じで掬い上げる事が可能と成る。因って任意の堅さで凍結する事が可能に成る。これに因って解凍しなくても加工の際、適正分量を−２０℃の状態であっても秤出し分割する作業が容易に成る。これを使えば添加物との混合作業が容易に成り能率が飛躍的に良く成る。且つ、砂糖３０％添加の時点で糖度４３度の甘さと成る。８０％添加の時点で糖度６１度の実測結果と成る。任意に糖質の量の増減で旨みの幅が増して加工品としての価値が増す。この加工方法で柿皮の部位と砂糖のみでもアイスクリーム状の冷菓が出来た。これを解凍して柿ジャムとして食した。因って本発明で作業性の向上と多種類の柿加工品の製造を可能にした。
【発明の効果】
【０００６】  生柿、干し柿としての販売価値の無い形状の柿の果肉部位、干し柿製造工程に於いて柿の皮を剥く行程で発生した柿皮は無用として棄てられていた。これを破砕、擂り潰し等の工程と２０％以上の加糖する工程を経てピューレ状にして冷凍する。その結果、無加糖の場合は硬く凍結していて分割秤出し作業、他の添加物との混合作業等の作業効率が非常に悪い。これに対して本発明の製法では硬く凍結する度合いを、砂糖、ブドウ糖、飴等の糖質を柿果肉、柿皮の重量に対して２０％以上の量を添加することで、任意の堅さで凍結する事が可能に成った。これによって、加工の際、−２０℃でも適正分量を秤出し分割する作業、他の添加物との混合作業の能率が飛躍的に良く成った。同時に甘さが増して旨みの幅が増し加工品としての価値が増した。この製造方法によって軟性の食感の冷菓の原料と成る。これを解凍した状態にして常温のジャム、菓子の原料と成す。
(57)【要約】      （修正有）【課題】飲用に適した水を提供する。【解決手段】ＰＨが７に近い中性に近い飲料水に精製。ＰＨにより人の健康が保てます。ランバンアルベージュ香水ｒｏｏｍコロンで風邪、体調が整えられ、目の細胞が増え目がよくなります。さとうきびの砂糖と、からだにうるおうアルカリ天然水で薬が不要となります。男ＰＨ７．１３〜７．８７の抵抗値の高い水、女ＰＨ７．１２〜ＰＨ７．８９の抵抗値の高い水で体調がよくなり、足が立てない人でも、立てるようになります。ＰＨ７．４１２５で脳細胞が増え、ちほうが治ります。男の子はＰＨ７．２５〜７．４８の女性とＰＨ７．４２〜７．７７の女の子より生まれます、ＰＨ０．１ずれることにＰＨ０．２ずれると完全な子が生まれます。女の子はＰＨ７．３６〜７．４３の男性とＰＨ７．４４〜７．７７の女性より生まれます。ＰＨ０．１ずれることにＰＨ０．３ずれると完全な女の子が生まれます。【選択図】なし【特許請求の範囲】
【請求項１】
ＰＨ７の中性にちかい水である。
【発明の詳細な説明】
【発明の詳細な説明】
【発明の効果】
中性に近い水であるので、体内の酸性物質の塊やアルカリ性物質の塊を溶かし、イオン化し体外に排出作用が期待できる。またイオン化にならなくても塊を小さくし排出排出することができる。
【背景技術】従来の技術ではアルカリ性や酸性にある水もあったが、中性に近い水であることにより、アルカリ性で体内で塊となっていたものや、酸性で体内で塊あったものどちらかが解けにくかったり、塊が残ったりしていた。
(57)【要約】【課題】ペットの抜け毛処理を行う際における、ラバーブラシや金属ブラシのペットに与える負担軽減と抜け毛散乱を防ぐためのペット用抜け毛処理吸引ダクトを提供する。【解決手段】毛を吸込むための穴を複数個設けた本発明の吸引ダクト１を掃除機ホース２に接続することにより、ペットに負担を与えることなく脱毛吸引ができ、脱毛の散乱を防ぐことが出来る。また、本発明の吸引ダクト１には、短毛用、長毛用の掻き上げくし歯が取付けられ、短毛から長毛のペットにも対応できるようにした。【選択図】図１
2014138630.tif 000002
【特許請求の範囲】
【請求項１】
一方の端に閉塞部を備え、他方の端に吸引装置が接続可能な開口部を備え、側面の長さ方向に複数の吸引孔が略直線状に並べて設けられた管状部材を有することを特徴とする、ペット用抜け毛処理ダクト。
【請求項２】
前記管状部材の前記開口部近傍に設けられてなる回動軸を介して、掻き上げくし歯が回動可能に接合されてなることを特徴とする、請求項1に記載のペット用抜け毛処理ダクト。
【発明の詳細な説明】
【技術分野】
【０００１】
この発明は、ペットの抜け毛処理におけるペットの負担軽減と抜け毛散乱を防止するものである。
【背景技術】
【０００２】
ペットの抜け毛処理は、ラバーブラシや金属ブラシによりブラッシングすることにより行われている。
【０００３】
特許文献１、特許文献２の方法は、ブラッシングやグルーミングと同時に抜け毛処理を行おうとするものであるため、構造が複雑である。
【先行技術文献】
【特許文献】
【０００４】
【特許文献１】特開平１０―０９４４３０号公報
【特許文献２】特開２００９―０６６３４１号公報
【発明の概要】
【発明が解決しようとする課題】
【０００５】
ペットの抜け毛処理を行う際のラバーブラシや金属ブラシの使用は、ペットに与える負担が大きいためスムーズなブラッシングができない。そのため、抜け毛の散乱を招き、不完全な抜け毛処理となってしまう。
【課題を解決するための手段】
【０００６】
この発明は、上記課題を解決するため、短毛用掻き上げくし歯６または長毛用掻き上げくし歯７が取付られ、長手方向片面に複数個の吸引口3を設けた吸引ダクト１を形成する。
【発明の効果】
【０００７】
吸引ダクト1を掃除機ホース２に接続し、吸引力を弱めずにペットの抜け毛処理を可能とする。ペットの毛足が長く吸い込みが悪い場合などを考慮し、吸引ダクト1には毛を掻き上げるくし歯が取り付けられ、毛の長さに合わせた処理を可能としている。
【図面の簡単な説明】
【０００８】
【図１】本発明のペット用抜け毛処理吸引ダクトの一例を示す図、図１（ａ）は側面図、図（ｂ）は底面図。
【図２】掻き上げくし歯の一例を示す図、図２（ａ）は断面図、図２（ｂ）は短毛用掻き上げくし歯の側面図、図２（ｃ）は長毛用掻き上げくし歯の側面図。
【図３】本発明のペット用抜け毛処理吸引ダクトを掃除機ホースに接続したときの側面図、図３（ａ）は使用状態、図２（ｂ）は掻き上げくし歯の先端を持ち上げた状態。
【発明を実施するための形態】
【０００９】
以下、本発明の実施の形態について説明する。
吸引ダクト１の一方は掃除機に接続するところのみ円筒構造となっており、もう一方は先端が塞がれた長方形の断面を持ち、その長方形の断面は掃除機に接続する円形構造の近くまで同一断面構造となっている。また、長手方向の片面に複数個の吸引口３が開けられており、掃除機に接続するところの円形構造近くには、掻き上げくし歯取付用凸４を有している。図１に示す。
短毛用掻き上げくし歯６および長毛用掻き上げくし歯７は、吸引ダクト１に取付けて使用するものであり、吸引ダクト１への取付穴９と固定用突起８により固定される。図２に示す。
吸引ダクト1に短毛用掻き上げくし歯６または長毛用掻き上げくし歯７を装着し、掃除機ホース２に接続して使用する。図３に示す。
【符号の説明】
【００１０】
１  吸引ダクト
２  掃除機ホース
３  吸引口
４  掻き上げくし歯取付用凸
５  掻き上げくし歯断面
６  短毛用掻き上げくし歯
７  長毛用掻き上げくし歯
８  掻き上げくし歯固定用突起
９  吸引ダクトへの取付穴
【図１】
2014138630.tif 000003
【図２】
2014138630.tif 000004
【図３】
2014138630.tif 000005
(57)【要約】      （修正有）【課題】フライパンやホットプレートに直接型をのせて焼くことが出き、型に底面がついているので生地が直接プレートにつかないので、ケーキが焦げず、きれいな焼き色が付き、フライパンやプレートも汚れない、オーブンでも使用できるケーキ型を提供する。【解決手段】ケーキ型本体を、テフロンを切削加工して作成した。【選択図】図２
2014138624.tif 000002
【特許請求の範囲】
【請求項１】
2014138624.tif 000013
【請求項２】
ケーキの型を切削加工して出来た模様や形の凹凸により、焼き色が変わるものである。
【請求項３】
ケーキの型を直接フライパンやホットプレートに載せて焼くことのできるものである。
【発明の詳細な説明】
2014138624.tif 000003
【技術分野】
【０００１】
2014138624.tif 000004
ホットケーキを簡単に作るためのケーキの型に関する。
【背景技術】
【０００２】従来の型は主にアルミ、ステンレスなどが原料になっているものが多く、テフロンコーティングを施したものがある。また、シリコンゴム製のものがある。【０００３】テフロンコーティングの型は耐久性が低く、コーティングがはがれると焦げ付く。
シリコンゴム製の型は型にケーキがついてしまい、ケーキの形がくずれることもあり、洗浄も大変。オーブンやオーブントースターでしか焼くことができない。
従来のホットケーキ用の型は底面がなく、フライパンに生地が直接あたるので焦げたりする。
また、フライパンなどの調理器具が汚れる。
【発明の概要】
【発明が解決しようとする課題】
【０００４】  従来のケーキの型はフライパンやホットプレートの上に直接型を置いて焼けない。
オーブンやオーブントースターしか使用出来ない。【０００５】
2014138624.tif 000005
いたり、型からはがれなくなる。
2014138624.tif 000006
いてしまう。【０００６】従来の型は金型を使用する作るため、製作費が高く、製作に時間がかかる。
様々な形や模様が簡単に出来ない。
【課題を解決するための手段】
【０００７】上記第１の課題解決手段は、底面のついている型のため、フライパンやホットプレートに型をのせて焼くことが出来る。また、オーブンでの使用も可能。
生地が直接プレートにつかないので、ケーキが焦げず、きれいな焼き色がつく。【０００８】
2014138624.tif 000007
果が持続して使用出来る。
剥離効果が高いため生地が型につかず、洗浄がしやすい。【０００９】上記第３の課題解決手段は、型はすべて切削加工で行うので、金型を作る必要がなく、様々な形や模様の型を簡単に作れる。
2014138624.tif 000008
【発明の効果】
【００１０】  本発明のケーキ型を使用することで、フライパンやホットプレートに直接型をのせて焼くことが出来る。型に底面がついているので生地が直接プレートにつかないので、ケーキが焦げず、きれいな焼き色が付く。フライパンやプレートも汚れない。
また、従来の型同様にオーブンでも使用できる。【００１１】
2014138624.tif 000009
と同じ効果が持続して利用でき、剥離効果が高いため、焼き上がりのケーキが型にこびりつくこともなく、その為洗浄がしやすい。【００１２】  型を切削加工で製作するため、様々な形や模様の型を簡単に作れる。
【図面の簡単な説明】
【００１３】
【図１】
2014138624.tif 000010
【図２】
2014138624.tif 000011
【図３】
2014138624.tif 000012
【発明を実施するための形態】
【００１４】以下発明の実施の形態を図１〜３に基づいて説明する。
図においては、全テフロンでできている。
１は内底面になっており、いろいろな模様を掘り込むことが出来る。
２は側面になっており、滑らかに加工する。
３は内底面の切削した凹み部分であり、４からの厚みの違いにより焼き色が変化する。
【符号の説明】
【００１５】１  型の内底面（ここに模様を掘り込むことが出来る。）
２  型の側面
３  型の切削後の凹み（模様）部分。
４  型の底面
【図１】
2014138624.tif 000014
【図２】
2014138624.tif 000015
【図３】
2014138624.tif 000016
(57)【要約】【課題】長尺シートなどの溶接溝を切削した時に剥がれたシート部分を再圧着できるローラーを設けたローラー付き溝切りカッターを提供する。【解決手段】本体▲１▼の先端部分に切削刃▲３▼、後部本体内側に圧着ローラー▲５▼を設けた、ローラー付き溝切りカッターを特徴とする。【選択図】図１
2014138687.tif 000002
【特許請求の範囲】
【請求項１】
本体▲１▼の一部に切削刃▲３▼を設け、その前や後にシートなどの溶接溝部分を圧着する事のできるローラー▲５▼を設けた、ローラー付き溝切りカッター。
【発明の詳細な説明】
【技術分野】
【０００１】この発明は、長尺シートなどのジョイント溝部分の施工に使用する、ローラー付き溝切りカッターに関するものである。
【背景技術】
【０００２】従来、長尺シートのジョイント溝部分にビニール溶接を行なう前工程で、Ｕ字やＶ字の溝を切削し溶接溝を作る際、丸刀刃や三角刀刃を備えた道具を直定規に沿わせて行なったり、前記道具にジョイント溝を通るガイドを設けた道具を沿わせ滑らせ、シートのジョイント部分を切削し溶接溝を作っていた。
【先行技術文献】
【０００３】
【特許文献１】実用公開平６−５７６０６号公報
【特許文献２】特許公開２０１１−２５２３２９号公報
【発明の概要】
【発明が解決しようとする課題】
【０００４】これは次のような欠点があった。
従来、長尺シートのジョイント部分の溝をＵ字やＶ字に切削した際、すくい上げる様に刃がシートに入る為、圧着したシートが剥がれてしまう事があり、圧着し直すという手間が有った。本発明は、以上のような欠点をなくすためになされたものである。
【課題を解決するための手段】
【０００５】本体▲１▼の先端にガイド板▲２▼と切削刃▲３▼、後部にガイドピン▲４▼と後部本体内側に圧着ローラー▲５▼を設ける。本発明は以上の構成よりなるローラー付き溝切りカッターである。
【発明の効果】
【０００６】本体先端の切削刃によりジョイント溝の切削を行った際、シートの剥がれが生じても後部本体内側に備えた圧着ローラーが、溶接溝部分上部を通過し、再度圧着を行うので、作業効率が良い上、床面と本体との摩擦も軽減できるので仕上がりも良い。
【図面の簡単な説明】
【０００７】
【図１】本発明の斜視図である。
【図２】本発明の側面断面図である。
【図３】本発明の後面ローラー部分断面図である。
【発明を実施するための形態】
【０００８】以下、本発明を実施するための形態について説明する。
本体▲１▼の先端部分に切削刃▲３▼、後部本体内側にローラー軸▲７▼を設け圧着ローラー▲５▼を前記ローラー軸▲７▼に備えつける。前記切削刃▲３▼と圧着ローラー▲５▼が切削部分になるジョイント溝部分▲６▼より外れないように、先端にガイド板▲２▼、前記圧着ローラー▲５▼付近にガイドピン▲４▼を設ける。
本発明は以上のような構造である。
これを使用する時は、ジョイント溝にガイド板とガイドピンを入れ本体を持ち切削刃方向に滑らせ溶接溝を切削しながら圧着ローラーを前記溶接溝上を転がし、シートの剥がれた部分も再圧着すればよい。
【符号の説明】
【０００９】  ▲１▼  本体
▲２▼  ガイド板
▲３▼  切削刃
▲４▼  ガイドピン
▲５▼  圧着ローラー
▲６▼  溶接溝（ジョイント溝）
▲７▼  ローラー軸
【図１】
2014138687.tif 000003
【図２】
2014138687.tif 000004
【図３】
2014138687.tif 000005
(57)【要約】【課題】従来の睡眠枕は、仰向け睡眠の時は問題ないが，寝がえりして、横向きになった時、どうしても肩が下に来るので、頭が下がってしまい、図（４）肩こり、首筋違い、寝違いしやすい為である。【解決手段】睡眠枕の下に収縮エアータンクを設け背中下部分に液体圧力センサーマットを敷き仰向け睡眠から寝がいりして横向きになった時、液体圧力センサーマットが、ＯＮ・ＯＦＦすることにより，収縮マットにエアーが入り頭の位置を体と平衡の高さまで上昇させることで、図（３）肩こり、首筋違い、寝違いを防止することが出来る。【選択図】図３
2014138688.tif 000002
【特許請求の範囲】
【請求項１】
睡眠枕の下に収縮性エアータンク  Ｂ  を設け、睡眠中上向きから横向きになった時，背中下に  Ｃ  を設け液体圧力センサーで（ＯＮ）（ＯＦＦ）させる  Ｂ  をコントロールする制御装置とミニ．エアーコンプレッサーＡＣ／Ｄ対応、体の大きさが変わっても  Ｃ  の圧力微調整機能、又  Ｂ  のエアー供給調整付  Ａ  設けた高さ自動調整睡眠枕
【発明の詳細な説明】
【技術分野】
【０００１】本発明は、（上向き睡眠・横向き睡眠）の枕の高さを，自動的に調整できる睡眠枕に関するものである。
【背景技術】
【０００２】従来、睡眠枕は一定の高さになっている。
【発明の概要】
【発明が解決しようとする課題】
【０００３】これは、次のような欠点があった。
従来、あお向けに寝ているときは問題ないが、寝返して、横向きになり、睡眠した場合、枕の高さが一定なのでどうしても頭が下がり、首筋違い又は肩こりの原因になることがあり、困ることが多い（図４）本発明は以上のような欠点を減らす為になされたものである。
【課題を解決するための手段】
【０００４】（図３）制御装置・エアーコンプレッサー  Ａ  を設け、枕の下に  Ｂ  収縮エアータンク  Ｃ  液体圧力センサーを設ける。
本発明は、以上の構成よりなる、高さ自動調整睡眠枕である。
【発明の効果】
【０００５】高さ自動調整睡眠枕は、一般の睡眠枕と変わらず使用でき、横向きになった時、圧力センサーがＯＮになり（図３・Ｂ）に、エアーが送りこまれ自動的に枕の高さが高くなり、下がっていた頭を水平に保ち、（図３）肩に重圧がかかっていた、頭が水平になることにより、重圧が均等にかかる為、肩こり又は寝違いすることが減少し、熟睡出来るようになる。自動調整の為、一般の枕の使用時となんら変わりない。
【図面の簡単な説明】
【０００６】
【図１】本発明の睡眠枕、平面図
【図２】本発明の睡眠枕上向き使用時、正面図
【図３】本発明のエアーの入った睡眠枕、横向き使用時、正面図
【図４】従来の通常横むき睡眠状態の正面図
【図５】本発明の実施形態を示す睡眠枕  （１）平面図（２）正面図（３）枕の下にエアーが入った、正面図
【発明を実施するための形態】
【０００７】以下、本発明を実施するための形状を（図５・（１）〜（２））に基づいて説明する。
枕の下に収縮性のタンクＢ設け睡眠時背中に当たる場所に液体圧力センサーマットを引くＣ
制御装置と，ミニエアーコンプレッサーを一体化した装置（Ａ）を収縮性のタンクに配線配管する。
本発明は、以上のような構造である。
【符号の説明】
【０００８】Ａ  制御装置とミニ・エアーコプレッサーＡＣ／ＤＣ電源対応
Ｂ  収縮性のエアータンク
Ｃ  液体圧力センサーマット
【図１】
2014138688.tif 000003
【図２】
2014138688.tif 000004
【図３】
2014138688.tif 000005
【図４】
2014138688.tif 000006
【図５】
2014138688.tif 000007
(57)【要約】      （修正有）【課題】専用のメガネをかけずに３Ｄ画像が観られるようにする。【解決手段】湾曲した表示部と音声部を持つことにより３Ｄ画像を観ることができるようにした。表示画面９の像の一部は、テレビ５の両端に設けられた鏡７,８に入射し、その像がテレビを観る視聴者２に与えられる。この場合において、反射像と表示画面９から観ることができる像と連続して横長の画面２つの反射鏡７，８で深みがでる。従って、観る視聴者２は立体画像を観ることができる。【選択図】図４
2014138224.tif 000002
【特許請求の範囲】
【請求項１】
湾曲した表示部と音声部を持つことにより３Ｄ画像を観ることができるようにしたことを特徴とする３Ｄテレビ。
【発明の詳細な説明】
【技術分野】
【０００１】
本発明はメガネをかけずに立体画像を見ることができるようにした３Ｄ（立体画像）テレビに関する。
【背景技術】
【０００２】
図１は従来、テレビで３Ｄ画像を見ることができる視聴の様子を示す図である。２はテレビを観る人（視聴者）である。テレビ受像機１としては、フラットな液晶テレビが用いられる。
２つのテレビカメラでシーンを撮影して、２つのカメラで撮影した画像４，５をテレビ１に映し出す。この場合において、視聴者は３Ｄ画面観察のためのメガネ６をかけ、左右のレンズで前記テレビカメラで撮影した画像を右目と左目で別々に観るようにしている。
【０００３】
つまり、右目、左目で視差のある画像を観ることで、実際には平面であるテレビ映像を立体的に（３Ｄ）見せるものである。従来のこの種の３Ｄテレビでは、メガネの左右のレンズに異なる色のついたメガネを用いることが普通である（アナグリフ方式）。しかしながら、この方式では左右で異なる色のついたメガネを使うため、色再現性に問題がある。また、偏向フィルタで左右の眼を選択する方法もある。
【０００４】
そこで、高速で左右のシャッタが開閉するメガネをかけることで左右の目に違う映像を送り込むフレームシーケンシャル方式が採用されてきている。シャッタが開超高速（１／１２０秒）で切り替わる。
【発明の概要】
【発明が解決しようとする課題】
【０００５】
前述した従来の３Ｄテレビは、高価なメガネをかける必要があった。また、日頃からメガネをかけない人には、煩わしいという問題があった。
本発明はこのような課題に鑑みてなされたものであって、メガネをかけないで３Ｄ画像を観ることができる３Ｄテレビを提供することを目的としている。  
【課題を解決するための手段】
【０００６】
テレビ画像部を、湾曲した表示部を湾曲させることにより３Ｄ画像を観ることができるようにした。
【発明の効果】
【０００７】
本発明によれば、専用のメガネをかけなくても３Ｄ画像を観ることができるようになるので、ローコストであり、また煩わしさがなくなる。
【図面の簡単な説明】
【０００８】
【図１】従来のテレビで画像を観る時の様子を示す図である。
【図２】本発明の実施例１を示す図である。
【図３】本発明の実施例２を示す図である。
【図４】本発明の実施例３を示す図である。
【発明を実施するための形態】
【０００９】
以下、図面を参照して本発明の実施例を詳細に説明する。図２は本発明の実施例１を示す図である。図に示すように、有機EＬを用い、柔軟なフィルムに形成し、これを画面３を形成したものである。
【００１０】
テレビを観る視聴者２が画面を観るが、湾曲した画面のため、前後に深みのある画面が左右の眼の視野一杯に画面が入り、この結果、観る視聴者は立体画像を観ることができることが、試験して確かめられた。
従来は、このように湾曲した画面を作ることは困難であったが、有機ＥＬ発光体を用いれば、湾曲した画面を作ることができる。なお、テレビ３としては有機ＥＬ発光体でなくても、湾曲した画面を作ることができるものであれば、有機ＥＬ体でなくても構わない。
【００１１】
この実施例は、立体画像の足下スピーカーを設けることにより、おのずと左右のスピーカーが内向きとなり、臨場感のある音響システムになる。図において、３は湾曲画面、１０はテレビ３右側の台部に配置された中高音スピーカ、１１はテレビ３左側の台部に配置された中高音スピーカ、１２はテレビ３の中央台部に設けた低音用のウーファースピーカである。
このように構成すると、音を出すスピーカ１０,１１とスピーカ１２からの音が深みが出ることと、３次元的に音が出るため、臨場感のある音を聴くことができる。
図４は本発明の実施例３を示す図である。この実施例は、平坦な画面を持つテレビ５と、その両端に設けられた鏡７,８より構成されるものである。画面９としては、例えばガラス液晶が用いられる。このように構成されたテレビの動作を説明すれば、以下の通りである。
【００１２】
表示画面９の像の一部は、テレビ５の両端に設けられた鏡７,８に入射し、その像がテレビを観る視聴者に与えられる。この場合において、反射像と表示画面８から観ることができる像と連続して横長の画面２つの反射鏡７，８で深みがでる。従って、観る視聴者２は立体画像を観ることができる。
【産業上の利用分野】
【００１３】
本発明は３Ｄ立体音画像を観ることができるテレビであり、どのような場所でも設置して視聴することができる。
【符号の説明】
【００１４】
１  公知のメガネ使用３Ｄテレビ
２    視聴者
３    本発明の湾曲画面テレビ
５    本発明の平面テレビ
６    メガネ
７    左鏡
８    右鏡
９    表示画面
１０  右中高音スピーカー
１１  左中高音スピーカー
１２  中央台ウーファスピーカ
【図１】
2014138224.tif 000003
【図２】
2014138224.tif 000004
【図３】
2014138224.tif 000005
【図４】
2014138224.tif 000006
(57)【要約】【課題】本発明は、手触りが良く、耐久性に優れたケース体を提供することを目的とする。【解決手段】本発明に係るケース体は、外層及び内層を含む基体と、軟質層と、を備える。軟質層は、シリカゲル材料からなり、軟質層及び前記内層は、外層の互いに反対側に位置する２つの表面上に接合され、軟質層は、前記内層の端縁をカバーしている。また、外層は、鉄部材又はステンレス部材からなり、外層には、当該外層を貫通している多数の貫通孔が形成され、内層は、外層に対して溶融状態のカラー樹脂を射出することにより形成され、溶融状態のカラー樹脂は、貫通孔を充填して、外層の外面においてカラーの模様を形成し、前記模様は記軟質層を通して見える。【選択図】図２
2014172396.tif 000002
【特許請求の範囲】
【請求項１】
外層及び内層を含む基体と、軟質層と、を備えるケース体であって、前記軟質層は、シリカゲル材料からなり、前記軟質層及び前記内層は、前記外層の互いに反対側に位置する２つの表面上に接合され、前記軟質層は、前記内層の端縁をカバーしていることを特徴とするケース体。
【請求項２】
前記外層は、鉄部材又はステンレス部材からなり、前記外層には、当該外層を貫通している多数の貫通孔が形成され、前記内層は、前記外層に対して溶融状態のカラー樹脂を射出することにより形成され、
前記溶融状態のカラー樹脂は、前記貫通孔を充填して、前記外層の外面においてカラーの模様を形成し、前記模様は、前記軟質層を通して見えることを特徴とする請求項１に記載のケース体。
【請求項３】
前記外層は、互いに反対側に位置した第一接合面及び第二接合面を備え、前記内層は、前記第一接合面に射出成形され、前記軟質層は、ホットプレス成形法によって前記第二接合面に接合されていることを特徴とする請求項１または２に記載のケース体。
【請求項４】
前記軟質層は、ホットプレス成形法によって、前記内層の端縁に接合されて、防水層を形成することを特徴とする請求項１から３のいずれか一項に記載のケース体。
【請求項５】
前記外層及び前記内層により構成された前記基体の周縁部には、複数の凹溝が間隔をあけて設けられており、前記軟質層は、前記複数の凹溝を充填することで前記内層の縁に接着されることを特徴とする請求項１から４のいずれか一項に記載のケース体。
【発明の詳細な説明】
【技術分野】
【０００１】
本発明は、ケース体に関する。
【背景技術】
【０００２】
ケース体は、電子装置の主な構成部材であり、近年、その美観及び手触りが益々重視されている。現在、殆んどの電子装置のケース体が、プラスチック射出成形により製造されている。通常、電子装置に良好な感触を持たせるため、前記電子装置のケース体に対して塗装するか又はケース体の外層に革やファブリックを採用する。しかし、革やファブリックを外層とするケース体は、防水機能を備えておらず、且つ革やファブリックのケース体の上面にさらに装飾模様を付けることは難しい。また、革やファブリックを外層とするケース体は汚れ易い。
【発明の概要】
【発明が解決しようとする課題】
【０００３】
本発明は以上の問題点に鑑みてなされたものであり、手触りが良く、耐久性に優れたケース体を提供することを目的とする。
【課題を解決するための手段】
【０００４】
上記の課題を解決するために、本発明に係るケース体は、外層及び内層を含む基体と、軟質層と、を備える。前記軟質層は、シリカゲル材料からなり、前記軟質層及び前記内層は、前記外層の互いに反対側に位置する２つの表面上に接合され、前記軟質層は、前記内層の端縁をカバーしている。
【発明の効果】
【０００５】
従来の技術と異なり、本発明のケース体は、柔軟な手触り及び防水機能を有し、且つ長期間の使用に耐えることができる。また、基体を成形する時に、樹脂材質の内層と金属材質の外層とを組み合わせることによって、装飾用模様を形成する。この装飾用模様は、透明な軟質層を通して見ることができ、ケース体に美観を付えるとともに、軟質層により保護されるため、永久性が高い。また、装飾用模様の製造プロセスは、簡単であり、軟質層の表面の柔軟性を損なわない。
【図面の簡単な説明】
【０００６】
【図１】本発明の実施形態に係るケース体の斜視図である。
【図２】図１に示したケース体のＩＩ−ＩＩ線に沿った断面図である。
【発明を実施するための形態】
【０００７】
本発明に係るケース体１００は、携帯電話機、コンピュータ及びカメラ等の電子装置のケース体であるか又は収納ボックス等である。図１に示すように、本実施形態におけるケース体１００は、基体１０及び軟質層２０を備える。
【０００８】
図２を併せて参照すると、基体１０は、内層１１及び外層１２を備える。内層１１は、ポリ塩化ビニル又はポリカーボネート等の樹脂材料からなる。外層１２は、鉄、ステンレス等の金属材料から製造され、且つ互いに反対側に位置する第一接合面１２１及び第二接合面１２２を備える。
【０００９】
基体１０全体は、インモールド射出成形によって形成される。具体的には、プレス成形法により外層１２を形成した後に、エッチング法によって、外層１２において外層１２を貫通する透かし彫りの模様を形成する。本実施形態において、前記模様は、複数の細長い貫通孔(図示せず)により構成される。次に、外層１２を成形金型の内部にセットして、外層１２に対して溶融状態のカラー樹脂を射出して冷却させた後、外層１２の第一接合面１２１上に内層１１を形成させる。この際、前記溶融状態のカラー樹脂は貫通孔（図示せず）内に充填される。これにより、内層１１は、外層１２に強固に接合される。またこの際、第二接合面１２２は、平滑面である。貫通孔内に充填されたカラー樹脂は、外層１２の外面においてカラーの模様を形成している。
【００１０】
軟質層２０は、シリカゲル材料からなり、基体１０の第二接合面１２２に形成されている。本実施形態において、軟質層２０は、透明なシリカゲルから製造されたシリカゲルシートである。軟質層２０を基体１０に接合する前に、先ず透明なシリカゲル材料から透明なシリカゲルシート（つまり軟質層２０）を製造した後、このシリカゲルシートと外層１２との接合力を高めるために、基体１０の外層１２の第二接合面１２２に対してプラズマ処理を行なって活性化させる。次に、第二接合面１２２を接着剤の中に８秒〜１０秒間浸した後、１０秒間焼いて加熱する。次に、ホットプレス成形法によって、透明なシリカゲルシートである軟質層２０を基体１０の外層１２の第二接合面１２２に接合させる。
【００１１】
ケース体１００を電子装置に取り付ける前に、防水効果を得るために、上記のホットプレス工程において、軟質層２０を第二接合面１２２のみに接合させるだけでなく、軟質層２０によって、内層１１の端縁をカバーして防水層２１を形成する。また、軟質層２０を内層１１の端縁に強固に接合させるために、図１に示すように、基体１０の周縁に複数の凹溝１３を間隔をあけて設ける。これにより、ホットプレスする時に、軟質層２０のシリカゲルが各凹溝１３を充填するため、軟質層２０を内層１１の縁に強固に接合することができる。
【符号の説明】
【００１２】
１０  基体
１１  内層
１２  外層
１２１  第一接合面
１２２  第二接合面
１３  凹溝
２０  軟質層
１００  ケース体
【図１】
2014172396.tif 000003
【図２】
2014172396.tif 000004
(57)【要約】【課題】  従来型の電飾装置は、光の点滅や強弱など連続的に繰り返し点灯するタイプが主流であった。【解決手段】  上部より吊り下げた反射フィルムと光源を設置しフィルムに映し出された光の像を揺れ動かすためファンを上部に配置、複雑な光の動きを重複させるために二重構造の反射板と投影板を設けたものである。これによりオーロラ状や水面の波状など自然に近い光の動を表現するものである。【選択図】図１
2014203073.tif 000002
【特許請求の範囲】
【請求項１】
吊り下げた反射フィルムに映しだされた光の像が設置されたファンの風力でフィルムが自由に揺れ動きオーロラ状や水面の波状が投影される様にファンと反射フィルムを設けた電飾装置。
【請求項２】
投影板と反射板を重ね合わせる事により、反射板を通す光と屈折して反射フィルムにもどる光に分かれて光の動きが複雑な波状に見える様、二重構造にした電飾装置。
【発明の詳細な説明】
【技術分野】
【０００１】  本発明は、揺れる光の動きを図った電飾装置に関する。
【背景技術】
【０００２】  従来型の電飾は、光の点滅や強弱など連続的に繰り返し点灯するタイプが主流である。
【発明の概要】
【発明が解決しようとする課題】
【０００３】  以上に述べた従来型の電飾装置は、光の点滅や強弱など連続的に繰り返し点灯するタイプが主流であった。
【課題を解決するための手段】
【０００４】  そして本発明は、上記目的を達成するために上部より吊り下げた反射フィルムと光源を設置しフィルムに映し出された光の像を揺れ動かすためファンを上部に配置、複雑な光の動きを重複させるために二重構造の反射板と投影板を設けたものである。
【発明の効果】
【０００５】  上述したように本発明の電飾装置はオーロラ状や水面の波状など自然に近い幻想的な光の動きの表現を目的としたものである。
【図面の簡単な説明】
【０００６】
【図１】  本発明の実施形態を示す電飾装置の側面から見た断面図
【図２】  同電飾装置の正面から見た断面図
【発明を実施するための形態】
【０００７】  以下、本発明の実施の形態を図１〜図２に基づいて説明する。
【０００８】  図において１は、光源を当てるためのフィルムで２のファンから吹き出される風により自由に揺れ動く反射用フィルムである。
【０００９】  ２は、１の反射用フィルムに向けて風を送り出すためのファンである。
【００１０】  ３は、反射用フィルムに光を当てるための光源（ライト）である。
【００１１】  ４は、本体の表面板である。
【００１２】  ５は、反射された光の像を映し出すための投影板である。
【００１３】  ６は、５の投影板と重ね合わせる事により、投影板に直接当たる光と屈折し反射フィルムに戻る光が交錯して、複雑な光の波状を生むための反射板である。
【産業上の利用可能性】
【００１４】  看板や光のオブジェまたはインテリア照明などの電飾としての利用可能性が考えられる。
【符号の説明】
【００１５】  １  反射用フィルム
２  ファン
３  光源（ライト）
４  表面板（本体）
５  投影板
６  反射板
【図１】
2014203073.tif 000003
【図２】
2014203073.tif 000004